(57)【要約】【課題】引出し部品の取付けを変更するだけで物品収納深さが変えられる前板の高さが変更可能な引出しを提供すること。【解決手段】引出し１４を物品を収納する引出し本体１８と、この引出し本体１８の前面に対して取付位置が変更できるフレーム体１６と、このフレーム体１６に取付けた前板１５とから構成することで、引出し１４の部品を変更することなく前板１５の高さを変更することで引出し１４の収納容積空間を確保することができる。【選択図】  図２
2004223009.tif 000002
【特許請求の範囲】
【請求項１】
引出の前面に取付けられた前板の高さが変更可能な引出しであって、前記引出しは、物品を収納する引出し本体と、該引出し本体の前面に対して取付位置が変更できるフレーム体と、該フレーム体に取付けた前板とで構成されていることを特徴とする前板の高さが変更可能な引出し。
【請求項２】
前記引出し本体の前面には左右に取付金具が設けられ、前記フレーム体は該取付金具に対して取付位置を変更して取付けることができる請求項１に記載の前板の高さが変更可能な引出し。
【請求項３】
請求項１または２に記載の前板の高さが変更可能な引出しを備えたことを特徴とするシステムキッチン。
【発明の詳細な説明】
【０００１】
【発明の属する技術分野】
本発明は、引出の前面に取付けられた前板の高さが変更可能な引出しに関する。
【０００２】
【従来の技術】
従来、収納物を引出しの中に入れて整理する場合、深さの異なる引出しを幾つか用意して、これらを組み合わせて使用することが知られていた（特許文献１参照）。特許文献１に記載の整理箱は、側板の内面側に多数の引出し受けを段設し、引出しの上縁を外側に延設した突出縁をこの引出し受けにスライド自在に装架したもので、深さの異なる引出しを任意の引出し受けに装架していた。
【０００３】
【特許文献１】
特開平７−３２７７５９号公報（段落０００５−０００８、図３、４）
【０００４】
【発明が解決しようとしている課題】
しかしながら、従来のものは、収納物を引出しの中に入れて整理する場合、収納物の大きさに応じて、それに見合った深さを有する引出しを用意する必要がありコスト高になる欠点があった。
【０００５】
本発明は、このような問題点に着目してなされたもので、引出し部品の取付けを変更するだけで物品収納深さが変えられる前板の高さが変更可能な引出しを提供することを目的とする。
【０００６】
【課題を解決するための手段】
上記目的を達成するために、本発明の前板の高さが変更可能な引出しは、引出の前面に取付けられた前板の高さが変更可能な引出しであって、前記引出しは、物品を収納する引出し本体と、該引出し本体の前面に対して取付位置が変更できるフレーム体と、該フレーム体に取付けた前板とで構成されていることを特徴としている。
この特徴によれば、引出しの部品を変更することなく前板の高さを変更することで引出の収納容積空間を確保できる。
【０００７】
本発明の前板の高さが変更可能な引出しにおいて、前記引出し本体の前面には左右に取付金具が設けられ、前記フレーム体は該取付金具に対して取付位置を変更して取付けることができることが好ましい。
このようにすれば、例えばフレーム体と取付金具にねじ止め用の孔を形成しておけば、フレームの取付金具に対するねじ止め位置の変更で容易に前板の高さが調整できる。
【０００８】
本発明のシステムキッチンにおいて、本発明の前板の高さが変更可能な引出しを備えたことを特徴としている。
この特徴によれば、高さの異なる各種キッチン用品を収納するのに好都合である。
【０００９】
【発明の実施の形態】
本発明の実施形態について図面を参照して説明する。
【００１０】
図１は本発明の一実施形態に係る前板の高さが変更可能な引出しを備えたシステムキッチンを正面から視た斜視図、図２は前板の高さが変更可能な引出しの分解斜視図、図３はフレーム体と取付金具との関係を示す引出し本体の部分斜視図であり、図４の（ａ）〜（ｃ）は、引出し本体の取付金具に対しフレーム体を介して前板の高さを変更する手順を示す説明図である。
【００１１】
図１において、１はシステムキッチンであって、このシステムキッチン１は、上部フレームＦ上に配置されるコンロ部２、調理部４、流し台６、及び左右のサイドフレーム８ａ，８ｂないし、上部フレームＦの下面に配置されるキャビネット部１０から構成されている。
【００１２】
上部フレームＦ内には、コンロ部２を構成する操作部ないし収容部（引出し等）が配設されており、キャビネット部１０は上部フレームＦの下面左側に配設されており、上部フレームＦの下面右側には収容空間が形成されている。
【００１３】
キャビネット部１０は、上下２段の引出し１２，１４から構成されており、下段引出し１４の前板１５は引出し本体１８に対し高さが変更可能に構成されたものが使用されている。
【００１４】
詳しくは、図２に示すように、引出し本体１８の前面の左右に板状の取付金具１８ａ，１８ｂが前方に向けて突設しており、両取付金具１８ａ，１８ｂには、上下方向に所定間隔ｐで一対のねじ挿通孔Ｈ１，Ｈ２（図３参照）が穿設されている。
【００１５】
一方、前板１５の背面には、矩形状に枠組みされたフレーム体１６が図示しないねじを介して止着されており、フレーム体１６は、底部フレーム１６ａと、この底部フレーム１６ａの左右に上方に向けて固設された縦フレーム１６ｂ，１６ｂと、これら縦フレーム１６ｂ，１６ｂ間の上端に連結された連結バー１６ｃとから構成されている。
【００１６】
これら左右の縦フレーム１６ｂ，１６ｂには、取付金具１８ａ，１８ｂに形成されたねじ挿通孔Ｈ１，Ｈ２に対応する複数（図２では３個）のねじ孔Ｔ１，Ｔ２，Ｔ３がねじ挿通孔Ｈ１，Ｈ２（図３参照）と同一間隔で上下に形成されている。
【００１７】
従って、前板１５は、図２及び図３に示すようにその背面に取付けられたフレーム体１６の両外側面に取付金具１８ａ，１８ｂの内側面を接触させた状態で、取付金具１８ａ，１８ｂの２つのねじ挿通孔Ｈ１，Ｈ２と縦フレーム１６ｂ，１６ｂの何れか３個のねじ孔Ｔ１，Ｔ２，Ｔ３を選択的に対応させて止めねじＢにより両者を螺着することで、引出し本体１８前端の当接板１８ｃ前面に前板１５を所定高さ位置に配置することができる。
【００１８】
次に、上記のように構成された前板の高さを変更する手順に付き図４を参照して説明する。
【００１９】
図４の（ａ）〜（ｃ）には、高さの異なるシステムキッチン１ａ，１ｂ，１ｃが示されており、これら高さの異なるシステムキッチン１ａ，１ｂ，１ｃは、注文に応じて予め工場で組み立てられるようになっている。
【００２０】
すなわち、高さの異なるシステムキッチン１ａ，１ｂ，１ｃを工場で組立るに際し、本実施形態では、システムキッチン１の高さに応じて下段引出し１４の前板１５の高さを変更することで、部品の共用化を図っている。
【００２１】
先ず、図４の（ａ）に示すシステムキッチン１ａは、一番低い高さに組み立てられるもので、下段引出し１４の前板１５は、引出し本体１８前面に対し下方に移動せることで、両取付金具１８ａ，１８ｂの上下ねじ挿通孔Ｈ１，Ｈ２を、縦フレーム１６ｂ，１６ｂ上方の一対のねじ孔Ｔ３，Ｔ４に一致させた上で止めねじＢを介して止着される。
【００２２】
この状態では、下段引出し１４は、前板１５が引出し本体１８前面に対し最下部（床面５から前板１５上端までの高さＵ１）に設置されており、上段引出し１２の底面１２ａに対し大型ボトル２０を立設した高さより低い収容高さとなる。
【００２３】
また、図４の（ｂ）に示すシステムキッチン１ｂは、前記のシステムキッチン１ａより高く構成されたもので、下段引出し１４の前板１５は、引出し本体１８前面に対し一番低い位置から挿通孔Ｈ１，Ｈ２の間隔ｐだけ上方に移動せることで、両取付金具１８ａ，１８ｂの上下ねじ挿通孔Ｈ１，Ｈ２を、縦フレーム１６ｂ，１６ｂ上方から二番目と三番目のねじ孔Ｔ２，Ｔ３に一致させた上で止めねじＢを介して止着される。
【００２４】
この状態では、下段引出し１４は、前板１５が引出し本体１８前面に対し最下部から間隔ｐ上方（床面５から前板１５上端までの高さＵ２）に設置されており、上段引出し１２の底面１２ａに対する収容高さは、大型ボトル２０を立設して収容できる高さとして構成される。
【００２５】
次に、図４の（ｃ）に示すシステムキッチン１ｃは、前記のシステムキッチン１ｂより更に高く構成されたもので、下段引出し１４の前板１５は、引出し本体１８前面に対し一番低い位置から２倍の間隔２ｐだけ上方に移動せることで、両取付金具１８ａ，１８ｂの上下ねじ挿通孔Ｈ１，Ｈ２を、縦フレーム１６ｂ，１６ｂ上方から三番目と最下段のねじ孔Ｔ１，Ｔ２に一致させた上で止めねじｂを介して止着される。
【００２６】
この状態では、下段引出し１４は、前板１５が引出し本体１８前面に対し最下部から間隔２ｐ上方（床面５から前板１５上端までの高さＵ３）に設置されており、上段引出し１２の底面１２ａに対する収容高さは、大型ボトル２０を立設しても十分に余裕をもった収容できる高さとして構成される。
【００２７】
従って、上記のように構成された引出しによれば、前板１５の高さが変更可能な引出し１４を使用することで、高さの異なるシステムキッチン１ａ，１ｂ，１ｃを組み立てる際は、その両側板ないし前面板以外は、標準部品として使用することができるので、新たにシステムキッチン１の高さに応じた専用の引出しとして設計する必要が無く、製造コストを低減することができる。
【００２８】
また、システムキッチン１に、前板１５の高さが変更可能な引出し１４を備えたことで、高さの異なる各種キッチン用品を収納するのに好都合である。
【００２９】
そして、引出し１４が、物品を収納する引出し本体１８と、この引出し本体１８の前面に対して取付位置が変更できるフレーム体１６と、このフレーム体１６に取付けた前板１５とから構成されるので、引出し１４の部品を変更せずに前板１５の高さを変更することで引出し１４の収納容積空間を確保することができる。
【００３０】
更に、フレーム体１６は、取付金具１８ａ，１８ｂに対して取付位置を変更して取付けることができるので、例えばフレーム体１６と取付金具１８ａ，１８ｂにねじ孔Ｔ１〜Ｔ４ないしねじ挿通孔Ｈ１，Ｈ２を形成しておけば、フレーム体１６の取付金具１８ａ，１８ｂに対するねじ止め位置を変更することで、システムキッチンの高さに応じて前板１５の高さを容易に調整することができる。
【００３１】
以上、本発明の実施形態として、システムキッチンを例に挙げ説明してきたが、特にシステムキッチンのみに限定されるものではなく、一般家具の引出しにも適用できることは言うまでもない。
【００３２】
【発明の効果】
本発明は以下の効果を奏する。
【００３３】
（ａ）請求項１項の発明によれば、引出しの部品を変更することなく前板の高さを変更することで引出の収納容積空間を確保できる。
【００３４】
（ｂ）請求項２項の発明によれば、例えばフレーム体と取付金具にねじ止め用の孔を形成しておけば、フレームの取付金具に対するねじ止め位置の変更で容易に前板の高さが調整できる。
【００３５】
（ｃ）請求項３項の発明によれば、高さの異なる各種キッチン用品を収納するのに好都合である。
【図面の簡単な説明】
【図１】本発明の一実施形態に係る前板の高さが変更可能な引出しを備えたシステムキッチンを正面から視た斜視図である。
【図２】前板の高さが変更可能な引出しの分解斜視図である。
【図３】フレーム体と取付金具との関係を示す引出し本体の部分斜視図である。
【図４】（ａ）〜（ｃ）は、引出し本体の取付金具に対しフレーム体を介して前板の高さを変更する手順を示す説明図である。
【符号の説明】
１                      システムキッチン
１ａ，１ｂ，１ｃ        システムキッチン
２                      コンロ部
４                      調理部
５                      床面
６                      流し台
８ａ，８ｂ              サイドフレーム
１０                    キャビネット部
１２，１４              引出し
１２ａ                  底面
１５                    前板
１６                    フレーム体
１６ａ                  底部フレーム
１６ｂ                  縦フレーム
１６ｃ                  連結バー
１８                    引出し本体
１８ａ，１８ｂ          取付金具
１８ｃ                  当接板
２０                    大型ボトル
Ｂ                      止めねじ
Ｆ                      上部フレーム
Ｈ１，Ｈ２              挿通孔
ｐ                      間隔
Ｔ１，Ｔ２，Ｔ３，Ｔ４  ねじ孔
【図１】
2004223009.tif 000003
【図２】
2004223009.tif 000004
【図３】
2004223009.tif 000005
【図４】
2004223009.tif 000006